(57)【要約】【課題】自動台数制御運転と個別運転を行い得るようにした空調用熱源システムにおいて、個別運転の際のオペレータの負担を軽減すると共に、適切なタイミングで冷凍機の起動・停止を行い得るようにする。【解決手段】半自動運転時には、所定の冷凍機１−１，１−２，・・・１−ｎの起動後経過時間が起動後経過時間設定値を越え且つ当該冷凍機１−１，１−２，・・・１−ｎが起動して停止するまでの冷凍機１−１，１−２，・・・１−ｎの状態変化経過時間が状態変化経過時間設定値を越え、しかも、当該冷凍機１−１，１−２，・・・１−ｎの冷凍機還水温度ｔｉｎと冷凍機出口冷水温度ｔｏｕｔ１、ｔｏｕｔ２、・・・ｔｏｕｔｎの差を基に求めた冷凍機負荷率が冷凍機負荷率下限値を下回った場合に、当該冷凍機１−１，１−２，・・・１−ｎに停止指令を与え得るよう構成する。【選択図】図１
2005337594.tif 000002
【特許請求の範囲】
【請求項１】
並列配置されている複数の冷凍機を備えると共に、起動されている冷凍機の停止は自動的に実施し且つ、停止している冷凍機の起動はオペレータの操作により実施する半自動運転を行い得るようにした空調用熱源システムにおいて、半自動運転時には、所定の冷凍機の起動後経過時間が起動後経過時間設定値を越え且つ当該冷凍機が起動して停止するまでの冷凍機の状態変化経過時間が状態変化経過時間設定値を越え、しかも、当該冷凍機の冷凍機還水温度と冷凍機出口冷水温度の差を基に求めた冷凍機負荷率が冷凍機負荷率下限値を下回った場合に、当該冷凍機に停止指令を与え得るよう構成したことを特徴とする空調用熱源システム。
【請求項２】
冷凍機負荷率を求める際に用いる冷水流量として、一次側冷水ポンプ設計能力若しくは予め測定した現地測定値を用いるよう構成した請求項１記載の空調用熱源システム。
【請求項３】
冷凍機負荷率を求める際に用いる冷水流量として、冷凍機入口側又は出口側に設けた流量検出器により検出した冷水流量を用いるよう構成した請求項１記載の空調用熱源システム。
【請求項４】
冷凍機が並列配置されている往管路からの冷水が下流側に向けて流通する往主管路において検出した冷水送水温度が冷水送水温度上限値を越えた場合に、冷凍機起動案内表示を行なうよう構成した請求項１、２又は３記載の空調用熱源システム。
【発明の詳細な説明】
【技術分野】
【０００１】
本発明は空調用熱源システムに関するものである。
【背景技術】
【０００２】
空調用熱源システムにおいては、熱源として電力駆動のターボ冷凍機（以下、単に冷凍機と称する）が使用される場合がある。而して、従来の空調用熱源システムでは、複数の冷凍機を冷凍機台数制御コントローラにより切替えて自動台数制御運転を行なうか、或は、オペレータ（運転管理者）の手動操作による個別運転を行なうようになっている。
【０００３】
上述のごとき空調用熱源システムの従来の一例は図７〜図９に示されている。図中、１−１，１−２，・・・１−ｎは並列配置された複数の冷凍機、２は空調すべき施設の各階に設置されたファンコイルユニット（０〜ｎ台）、３は同じく各階にファンコイルユニット２と並列に配置された空調機（０〜ｎ台）、４−１，４−２，・・・４−ｎは各冷凍機１の入口側又は出口側に設けられた一次側冷水ポンプである。なお、図７、図８においては、一次側冷水ポンプ４−１，４−２，・・・４−ｎは冷凍機１の入口側に設けた場合を示している。
【０００４】
各冷凍機１−１，１−２，・・・１−ｎの冷水出口側には往管路５−１，５−２，・・・５−ｎが接続され、往管路５−１，５−２，・・・５−ｎは往主管路６に接続され、往主管路６は往管路７，８に接続され、往管路７，８には、ファンコイルユニット２、空調機３の入口側が接続されている。又、ファンコイルユニット２，空調機３の出口側には、還り管路９，１０が接続され、還り管路９，１０には還り主管路１１が接続され、還り主管路１１には、中途部に一次側冷水ポンプ４−１，４−２，・・・４−ｎを備えて冷凍機１−１，１−２，・・・１−ｎの入口側に接続された還り管路１２−１，１２−２，・・・１２−ｎが接続されている。又、往主管路６と還り主管路１１とはバイパス管路１３により接続されている。
【０００５】
往主管路６のバイパス管路１３接続部近傍下流側には、温度検出器１４が設けられ、還り主管路１１のバイパス管路１３接続部近傍上流側には、温度検出器１５及び流量検出器１６が設けられている。
【０００６】
１７は自動台数制御運転制御部１７ａ及び個別運転制御部１７ｂを備え且つ切替え手段１７ｃにより自動台数制御運転制御部１７ａ或は個別運転制御部１７ｂに切替えて使用し得るようにした冷凍機台数制御コントローラであり、温度検出器１４で検出した冷水送水温度ｔｓ，温度検出器１５で検出した冷水還り温度ｔｒ、流量検出器１６で検出した冷水還り流量ｑｒは電気信号として冷凍機台数運転コントローラ１７へ与え得るようになっている。又、冷凍機台数運転コントローラ１７は中央監視装置と通信を行い得るようになっている。
【０００７】
自動台数制御運転の場合も個別運転の場合も、空調用熱源システムにより冷凍機１−１，１−２，・・・１−ｎのうち所定の冷凍機１−１，１−２，・・・１−ｎが運転されると、運転されている冷凍機１−１，１−２，・・・１−ｎから送出された冷水は往管路５−１，５−２，・・・５−ｎから往主管路６を送給される。而して、冷水の一部は、往主管路６から往管路７を通りファンコイルユニット２に送給されて冷熱を放出し、還り管路９から還り主管路１１へ送給される。又、一部の冷水は、往主管路６から往管路８を通り空調機３に送給されて冷熱を放出し、還り管路１０から還り主管路１１へ送給される。更に、残りの冷水は、バイパス管路１３をバイパスして還り主管路１１へ送給される。
【０００８】
還り主管路１１中の冷水還り水は、還り主管路１１を流通して還り管路１２−１，１２−２，・・・１２−ｎから一次側冷水ポンプ４−１，４−２，・・・４−ｎへ吸込まれ、加圧されて冷凍機１−１，１−２，・・・１−ｎへ導入され、冷却されて再び冷水として冷凍機１−１，１−２，・・・１−ｎから送出される。
【０００９】
温度検出器１４により検出された冷水送水温度ｔｓ、及び温度検出器１５により検出された冷水還り温度ｔｒ、並びに流量検出器１６で検出された冷水還り流量ｑｒは冷凍機台数運転コントローラ１７に与えられており、冷凍機台数運転コントローラ１７から中央監視装置に与えられてモニタに表示される。更に、中央監視装置からは所定の運転データ、初期値データ、設定データ等の各種データが冷凍機台数運転コントローラ１７に与えられている。
【００１０】
而して、冷凍機１−１，１−２，・・・１−ｎの自動台数制御運転を行なう場合には、冷凍機台数運転コントローラ１７の切替え手段１７ｃは自動台数制御運転制御部１７ａ側に切替えられ、中央監視装置と自動台数制御運転制御部１７ａとの間では、冷凍機１−１，１−２，・・・１−ｎの起動・停止を始めとした運転データ等各種データの授受等、所定の通信が行なわれている。
【００１１】
又、自動台数制御運転制御部１７ａでは、温度検出器１４により検出された冷水送水温度ｔｓ、及び温度検出器１５により検出された冷水還り温度ｔｒ、並びに流量検出器１６で検出された冷水還り流量ｑｒを基に、冷水負荷熱量が求められ、該冷水負荷熱量及び冷水送水温度ｔｓの条件を組合せて冷凍機１−１，１−２，・・・１−ｎの運転台数が決定され、自動台数制御運転制御部１７ａから冷凍機１−１，１−２，・・・１−ｎに起動・停止の指令が与えられ、冷凍機１−１，１−２，・・・１−ｎの起動・停止が行なわれる。
【００１２】
自動台数制御運転における冷水負荷熱量と冷凍機１−１，１−２，・・・１−ｎの運転台数の関係は図９の線図に示されている。この線図から、冷水負荷熱量が増加すれば、冷凍機運転台数は増え、冷水負荷熱量が減少すれば、冷凍機運転台数は減ることが分かる。
【００１３】
冷凍機１−１，１−２，・・・１−ｎの個別運転を行なう場合には、図８に示すごとく、冷凍機台数運転コントローラ１７の切替え手段１７ｃを個別運転制御部１７ｂ側に切替え、オペレータは、例えば中央監視装置のモニタに表示される温度検出器１４からの冷水送水温度ｔｓ、温度検出器１５からの冷水還り温度ｔｒ、流量検出器１６からの冷水還り流量ｑｒ、その他の運転データを基に自己の判断により冷凍機１−１，１−２，・・・１−ｎの起動・停止を行なう。オペレータの手動操作により冷凍機１−１，１−２，・・・１−ｎに与えられる起動・停止の指令は個別運転制御部１７ｂを介して行なわれる。
【００１４】
因みに、個別運転時において、冷水送水温度設定値が７℃で、温度検出器１４で検出された冷水送水温度ｔｓが８℃〜９℃まで上昇した場合には、冷凍機１−１，１−２，・・・１−ｎのうち所定の冷凍機がオペレータの手動操作により起動され、冷水還り温度設定値が１２℃で、温度検出器１５で検出された冷水還り温度ｔｒが１０℃まで下降した場合には、冷凍機１−１，１−２，・・・１−ｎのうち所定の冷凍機がオペレータの手動操作により停止され、更にはオペレータが当日の負荷を予測して冷凍機の起動・停止が行なわれる。
【００１５】
冷凍機の運転台数を制御するようにした先行技術文献としては、例えば特許文献１、２がある。
【特許文献１】特開平６−２４９５３６号公報
【特許文献２】特開平６−７４６１９号公報
【発明の開示】
【発明が解決しようとする課題】
【００１６】
図７、図８に示す空調用熱源システムにおいては、自動台数制御運転の場合はオペレータには大きな負担は掛からないが、契約電力に余裕がない場合は、冷凍機の運転台数が増加すると電力会社との契約電力を超過する虞があり、又、自動台数制御運転は制御ロジックが複雑で且つ外乱に弱いため、効率的で安定した運転が困難である等の問題点があるため、オペレータの手動操作による個別運転を行い得るようにしてある。
【００１７】
一方、個別運転の場合には、運転の巧拙はオペレータの技術に大きく依存することになり、オペレータに多大の精神的、肉体的な負担を与えるうえ、適切なタイミングで所定の冷凍機１−１，１−２，・・・１−ｎの停止を行なわなければ、冷凍機１−１，１−２，・・・１−ｎの効率が低下して消費エネルギが増大し、又、適切なタイミングで冷凍機１−１，１−２，・・・１−ｎを起動しなければ、冷水送水温度ｔｓが上昇して室内環境の悪化を招来する。
【００１８】
特許文献１、２は冷凍機の運転台数を制御しているが全て自動制御であり、オペレータの手動操作により運転台数を切替える個別運転については特に考慮してはいない。従って、運転時にオペレータに負担を与えることはないが、契約電力に余裕のない場合や消費エネルギの削減を行なう必要のある場合には適してはいない。
【００１９】
本発明は、上述の実情に鑑み、自動台数制御運転と個別運転を行い得るようにした空調用熱源システムにおいて、個別運転の際のオペレータの負担を軽減すると共に効率的で安定した運転を可能ならしめ、且つ、適切なタイミングで冷凍機の起動・停止を行って省エネルギを図り、又室内環境を良好に保持し得るようにすることを目的としてなしたものである。
【課題を解決するための手段】
【００２０】
請求項１の空調用熱源システムは、並列配置されている複数の冷凍機を備えると共に、起動されている冷凍機の停止は自動的に実施し且つ、停止している冷凍機の起動はオペレータの操作により実施する半自動運転を行い得るようにした空調用熱源システムにおいて、半自動運転時には、所定の冷凍機の起動後経過時間が起動後経過時間設定値を越え且つ当該冷凍機が起動して停止するまでの冷凍機の状態変化経過時間が状態変化経過時間設定値を越え、しかも、当該冷凍機の冷凍機還水温度と冷凍機出口冷水温度の差を基に求めた冷凍機負荷率が冷凍機負荷率下限値を下回った場合に、当該冷凍機に停止指令を与え得るよう構成したものである。
【００２１】
請求項２の空調用熱源システムは、冷凍機負荷率を求める際に用いる冷水流量として、一次側冷水ポンプ設計能力若しくは予め測定した現地測定値を用いるよう構成したものであり、請求項３の空調用熱源システムは、冷凍機負荷率を求める際に用いる冷水流量として、冷凍機入口側又は出口側に設けた流量検出器により検出した冷水流量を用いるよう構成したものであり、請求項４の空調用熱源システムは、冷凍機が並列配置されている往管路からの冷水が下流側に向けて流通する往主管路において検出した冷水送水温度が冷水送水温度上限値を越えた場合に、冷凍機起動案内表示を行なうよう構成したものである。
【発明の効果】
【００２２】
本発明の請求項１〜４記載の空調用熱源システムによれば、個別運転に際しては、冷凍機の停止は自動的に行なわせ、起動はオペレータの判断により行なう半自動運転を行なうことができるため、契約電力を超過する危険性を確実に回避することができると共に、オペレータによる効率的且つ安定した運転が可能となり、オペレータの労力を削減することができ、しかも適切なタイミングで冷凍機を停止することができるため、消費エネルギを削減できて省エネルギに役立ち、又、適切な起動のタイミングを把握することができるため、快適な室内環境を維持することができる。
【００２３】
更に、本発明の空調用熱源システムにおいては、従来の空調用熱源システムにおいても、自動台数制御運転の場合には冷水負荷熱量を安全側で設定するため、冷凍機は停止しても良いのに停止しなかったり、起動しなくても良いのに起動してしまうという虞があったが、半自動運転を行なうことによりこういった誤動作の虞が解消される。
【００２４】
更に又、自動台数制御運転の場合には、冷水負荷予測が困難であるため、外気の状況、来店者の予測（店舗ビルの場合）等を盛込んだ制御が必要であるが、本発明では、経験豊かなオペレータの判断に委ねて運転を行なうことができるため、冷水負荷予測や外気の状況、来店者の予測等を盛込まなくても制御が可能となり、更に、自動台数制御運転のシステムは汎用されているため、現場の夫々のニーズに対応しきれないが、本発明の半自動運転の場合は、対応を容易且つ確実に行なうことができる、という優れた効果を奏し得る。
【００２５】
請求項３の空調用熱源システムにおいては、冷凍機入口側又は出口側に設ける一次側冷水ポンプが変流方式の場合でも正確な冷水流量を得ることができ、精度の高い制御が可能となる。
【発明を実施するための最良の形態】
【００２６】
以下、本発明の実施の形態を図示例と共に説明する。
図１〜図５は本発明の空調用熱源システムを実施する形態の一例であって、一次側冷水定流量方式、すなわち一次側冷水ポンプ４−１，４−２，・・・４−ｎから吐出される単位時間当たりの冷水流量が一定で変化しない場合に適用される例である。図中、図７、図８と同一の符号を付した部分は同一のものを表わしている。而して、図中、１８−１，１８−２，・・・１８−ｎは、往管路５−１，５−２，・・・５−ｎの中途部に設けられて冷凍機出口冷水温度ｔｏｕｔ１，ｔｏｕｔ２，・・・ｔｏｕｔｎを検出するようにした温度検出器、１９は還り主管路１１におけるバイパス管路１３接続部よりも冷水還り水流れ方向下流側に設けられて冷凍機還水温度ｔｉｎを検出するようにした温度検出器である。又、所定位置には個別運転支援装置２０が設けられている。なお、本図示例に示す温度検出器１８−１，１８−２，・・・１８−ｎ、温度検出器１９は、図７、図８に示す従来のものにも設けてあるが、説明の都合上、図７、図８では省略してある。
【００２７】
個別運転支援装置２０は、データ通信部２１及び演算部２２並びに表示・設定入力部２３を備えている。而して、図２に示すように演算部２２は冷凍機停止判断部２２ａ及び冷凍機起動判断部２２ｂを備え、表示・設定入力部２３は冷凍機起動・停止判断設定入力部２３ａ及び冷凍機起動案内部２３ｂ並びに冷凍機運転状態表示部２３ｃを備えており、必要な運転データを所定の機器との間で授受し得るようになっている。
【００２８】
次に、上記図示例の作動を説明する。
本図示例の空調用熱源システムにおける冷水及び冷水還り水の流れは図７、図８に示す従来の場合と同様であり、又自動台数制御運転における制御は図７に示す場合と略同様であるため、説明は省略する。
【００２９】
続いて、本図示例の空調用熱源システムにより、個別運転を行なう場合の手順を図３〜図５をも参照しつつ説明する。
冷凍機の個別運転（半自動運転）を行なう際には、冷凍機台数運転コントローラ１７の切替え手段１７ｃは図１に示すように個別運転制御部１７ｂ側に切替わっており、温度検出器１８−１，１８−２，・・・１８−ｎからは測定された冷凍機出口冷水温度ｔｏｕｔ１，ｔｏｕｔ２，・・・ｔｏｕｔｎが、又温度検出器１９からは測定された冷凍機還水温度ｔｉｎが、更には、温度検出器１４からは冷水送水温度ｔｓが、夫々運転データとして冷凍機台数運転コントローラ１７に与えられており、冷凍機台数運転コントローラ１７から個別運転支援装置２０の表示・設定入力部２３における冷凍機運転状態表示部２３ｃに与えられて表示されている。
【００３０】
一方、個別運転支援装置２０からは、各種データが冷凍機台数運転コントローラ１７に与えられている。個別運転支援装置２０から冷凍機台数運転コントローラ１７に入力されるデータは、運転データとしては冷凍機１−１，１−２，・・・１−ｎを起動或は停止させるための冷凍機起動・停止状態指令があり、初期値データ（固定値）としては冷凍機設計冷却能力、一次側冷水ポンプ設計能力又は冷水流量の現地測定値（後述の図６に示す流量検出器を設けない場合であり、図６に示すように流量検出器を設けた場合は不要）、運転データ取得間隔Ｔがある。
【００３１】
オペレータによる設定データ（可変値）としては、冷凍機１−１，１−２，・・・１−ｎの起動後経過時間設定値Ｔｏｗｉｉ、状態変化経過時間設定値Ｔｏｓｗ、冷凍機負荷率下限値Ｌｏｉ、二次側すなわち往主管路６を送給される冷水の冷水送水温度上限値ｔｌｉｍがある。運転データ、初期値データ、設定データは何れも冷凍機起動・停止判断設定入力部２３ａに設定される。なお、各記号において、末尾のｉは冷凍機１−１，１−２，・・・１−ｎの機番を表し、ｉ＝１、２、・・・ｎであり、ｎは冷凍機１−１，１−２，・・・１−ｎの機番に対応している。以下の説明で記号の末尾におけるｉは全て同様である。
【００３２】
起動後経過時間設定値Ｔｏｗｉｉは、冷凍機１−１，１−２，・・・１−ｎの運転効果が生じるまでの待ち時間を設定することにより起動直後の安定していない冷凍機１−１，１−２，・・・１−ｎの停止を防止するための時間であり、この起動後経過時間設定値Ｔｏｗｉｉ内においては、運転されている冷凍機１−１，１−２，・・・１−ｎに対して停止指令は出力されないようになっている。
【００３３】
状態変化経過時間設定値Ｔｏｓｗは、冷凍機１−１，１−２，・・・１−ｎが起動されてから、冷凍機出口冷水温度Ｔｏｕｔｉ並に冷凍機還水温度ｔｉｎが変化を始めるまでの時間差を考慮して、連続して冷凍機１−１，１−２，・・・１−ｎを停止することを防止するための時間であり、冷凍機１−１，１−２，・・・１−ｎが１台以上起動されていることを確認したら時間のカウントを開始し、何れかの冷凍機１−１，１−２，・・・１−ｎが停止したら零に戻し得るようになっており、この状態変化経過時間設定値Ｔｏｓｗ内においては、運転されている冷凍機１−１，１−２，・・・１−ｎに対して停止指令は出力されないようになっている。
【００３４】
演算データとしては、冷凍機１−１，１−２，・・・１−ｎの起動後経過時間Ｔｗｉｉ、状態変化経過時間Ｔｓｗ、冷凍機負荷率Ｌｃｉ、冷凍機負荷率Ｌｃｉ中の最小値である冷凍機負荷率最小値Ｌｃｍｉｎ、設定した冷凍機負荷率下限値Ｌｏｉ中の最大値である冷凍機負荷率最大値Ｌｏｍａｘ（＝Ｍａｘ（Ｌｏ１、Ｌｏ２、・・・Ｌｏｎ））があり、これらの演算データは演算部２２で演算して求められる。
【００３５】
而して、個別運転においては、個別運転支援装置２０の演算部２２で冷凍機負荷率Ｌｃｉの演算が[数１]により行われる。
［数１］
冷凍機負荷率Ｌｃｉ[％]＝（冷凍機冷却熱量[ＭＪ／運転データ取得間隔]）／（冷凍機設計冷却能力[ＭＪ／運転データ取得間隔]）×１００
【００３６】
ここで、[数１]中の冷凍機冷却熱量は、運転データ取得間隔がＴ[ｍｉｎ]（例えば１０分）であるから、[数２]に示すように表される。
［数２］
冷凍機冷却熱量[ＭＪ／Ｔｍｉｎ]＝（一次側冷水ポンプ設計能力）[ｍ３／ｍｉｎ]×Ｔ[ｍｉｎ／Ｔ[ｍｉｎ]]×（（冷凍機還水温度ｔｉｎ）[℃]−（冷凍機出口冷水温度ｔｏｕｔｉ）[℃]）×１，０００[Ｋｇ／ｍ３]×４．１８６８[ＫＪ／Ｋｇ・℃]÷１，０００[ＫＪ／ＭＪ]
【００３７】
[数２]中、一次側冷水ポンプ設計能力[ｍ３／ｍｉｎ]×Ｔ[ｍｉｎ／Ｔｍｉｎ]は、運転データ取得間隔Ｔ[ｍｉｎ]間における一次側冷水積算流量[ｍ３／Ｔ[ｍｉｎ]]と置換えることができる。又、冷凍機１−１，１−２，・・・１−ｎが停止状態にある場合や、何等かの原因で冷凍機還水温度ｔｉｎや冷凍機出口冷水温度ｔｏｕｔｉが逆転して負の値が出た場合は、冷凍機冷却熱量及び冷凍機負荷率Ｌｃｉは何れも零とするようになっている。
【００３８】
而して、冷凍機１−１，１−２，・・・１−ｎを停止するか否かの判断は冷凍機停止判断部２２ａにおいて行なわれ、冷凍機１−１，１−２，・・・１−ｎを起動するか否かの判断は冷凍機起動判断部２２ｂにおいて行なわれるが、これらの手順を図３〜図５のフローチャートをも参照しつつ説明する。
【００３９】
運転が開始されると、温度検出器１９により検出された冷凍機還水温度ｔｉｎ、温度検出器１８−１，１８−２，・・・１８−ｎにより検出された冷凍機出口冷水温度ｔｏｕｔｉ（ｉ＝１、２、・・・ｎ）、温度検出器１４により検出された冷水送水温度ｔｓ、冷凍機１−１，１−２，・・・１−ｎの起動停止状態が運転データとして、運転データ取得間隔Ｔごとに取得される（Ｓ１）。
【００４０】
冷凍機１−１，１−２，・・・１−ｎが１台以上運転されているか否か運転状態を見た結果（Ｓ２）、冷凍機１−１，１−２，・・・１−ｎが１台以上起動されていない場合、すなわち、冷凍機１−１，１−２，・・・１−ｎが全台停止されている場合には、起動後経過時間Ｔｗｉｉ及び状態変化経過時間Ｔｓｗをクリアして零にし（Ｓ３、Ｓ４）、検出された冷水送水温度ｔｓと設定された冷水送水温度上限値ｔｌｉｍとを比較し（Ｓ５）、ｔｓ≦ｔｌｉｍではない場合、すなわち、冷水送水温度ｔｓが冷水送水温度上限値ｔｌｉｍを越える場合は、冷凍機増段ランプ点滅表示等の冷凍機起動案内を冷凍機運転状態表示部２３ｃに表示させる（Ｓ６）。而して、オペレータは契約電力を超過する虞がないと判断した場合には、適宜所定の冷凍機１−１，１−２，・・・１−ｎを起動させる。
【００４１】
又、ｔｓ≦ｔｌｉｍの場合は、起動後経過時間設定値Ｔｏｗｉｉ、状態変化経過時間設定値Ｔｏｓｗ、冷凍機負荷率下限値Ｌｏｉ、冷水送水温度上限値ｔｌｉｍについて設定画面処理（オペレータによる設定入力）があれば実施し（Ｓ７）、運転状態をメイン画面に表示し（Ｓ８）、日替り処理をする（Ｓ９）。而して、運転を終了する場合は終了し、終了しない場合はＳ１へ戻る。
【００４２】
冷凍機１−１，１−２，・・・１−ｎが１台以上運転されているか否か運転状態を見た結果（Ｓ２）、冷凍機１−１，１−２，・・・１−ｎが１台以上起動されている場合には、起動されている所定の機番１、２、・・・ｎの冷凍機１−１，１−２，・・・１−ｎの起動後経過時間Ｔｗｉｉが演算される（Ｓ１０）と共に、状態変化経過時間Ｔｓｗが演算され（Ｓ１１）、更に、[数１]、[数２]に基き、起動されている冷凍機１−１，１−２，・・・１−ｎの冷凍機負荷率Ｌｃｉが演算されると共に、冷凍機負荷率Ｌｃｉ中の冷凍機負荷率最小値Ｌｃｍｉｎ及び機番１、２、・・・ｎが求められる（Ｓ１２）。
【００４３】
而して、求められた冷凍機負荷率Ｌｃｉ中の冷凍機負荷率最小値Ｌｃｍｉｎと設定された冷凍機負荷率最大値Ｌｏｍａｘ＝（Ｍａｘ（Ｌｏ１、Ｌｏ２、・・・Ｌｏｎ））を比較し（Ｓ１３）、Ｌｃｍｉｎ＞Ｌｏｍａｘの場合、すなわち、演算された冷凍機負荷率最小値Ｌｃｍｉｎが設定された冷凍機負荷率最大値Ｌｏｍａｘよりも大きい場合は、起動されている全ての冷凍機１−１，１−２，・・・１−ｎが高負荷運転であるので、Ｓ４の後へ移行する。
【００４４】
冷凍機１−１，１−２，・・・１−ｎのうち、１台でもＬｃｍｉｎ≦Ｌｏｍａｘがある場合、すなわち、１台でも演算された冷凍機負荷率最小値Ｌｃｍｉｎが設定された冷凍機負荷率最大値Ｌｏｍａｘ（例えば約４０％）を下回る場合には、機番の若い順にすなわち機番１→２→・・・→ｎの順に以下の処理を行う。すなわち、機番１の冷凍機１−１について、演算された起動後経過時間Ｔｗｉ１と起動後経過時間設定値Ｔｏｗｉ１（例えば３０分）とを比較して（Ｓ１４）、Ｔｗｉ１＞Ｔｏｗｉ１となり、且つ演算された状態変化経過時間Ｔｓｗと状態変化経過時間設定値Ｔｏｓｗ（例えば３０分）とを比較して（Ｓ１５）、Ｔｓｗ＞Ｔｏｓｗとなった場合、すなわち、演算された起動後経過時間Ｔｗｉ１が起動後経過時間設定値Ｔｏｗ１よりも大きく、且つ演算された状態変化経過時間Ｔｓｗが状態変化経過時間設定値Ｔｏｓｗよりも大きくなった場合には、[数１]、[数２]を基として冷凍機負荷率Ｌｃ１を演算し、この冷凍機負荷率Ｌｃ１を予め設定された冷凍機負荷率下限値Ｌｏｄ１と比較し（Ｓ１６）、Ｌｃ１＜Ｌｏｄ１の場合、すなわち、演算された冷凍機負荷率Ｌｃ１が設定された冷凍機負荷率下限値Ｌｏｄ１よりも低い場合には、冷凍機１−１は自動的に停止する（Ｓ１７）。
【００４５】
冷凍機１−１が停止したら、起動後経過時間Ｔｗｉ１及び状態変化経過時間Ｔｓｗをクリアしてゼロにし（Ｓ１８、Ｓ１９）、Ｓ５へ移行する。停止条件を満たさない場合は、その旨のメッセージを冷凍機運転状態表示部２３ｃへ画面表示する。
【００４６】
Ｓ１４でＴｗｉ１≦Ｔｏｗｉ１の場合、Ｓ１５でＴｓｗ≦Ｔｏｓｗの場合、Ｓ１６でＬｃ１≧Ｌｏｄ１の場合のうち何れかの場合には、機番２の冷凍機１−２につき、機番１の冷凍機１−１と同様にして、以下の処理を行う。
【００４７】
すなわち、機番２の冷凍機１−２について、演算された起動後経過時間Ｔｗｉ２と起動後経過時間設定値Ｔｏｗｉ２（例えば３０分）とを比較して（Ｓ２０）、Ｔｗｉ２＞Ｔｏｗｉ２となり、且つ演算された状態変化経過時間Ｔｓｗと状態変化経過時間設定値Ｔｏｓｗとを比較して（Ｓ２１）、Ｔｓｗ＞Ｔｏｓｗとなった場合、すなわち、演算された起動後経過時間Ｔｗｉ２が起動後経過時間設定値Ｔｏｗｉ２よりも大きく、且つ演算された状態変化経過時間Ｔｓｗが状態変化経過時間設定値Ｔｏｓｗよりも大きくなった場合には、[数１]、[数２]を基として冷凍機負荷率Ｌｃ２を演算し、この冷凍機負荷率Ｌｃ２を予め設定された冷凍機負荷率下限値Ｌｏｄ２と比較し（Ｓ２２）、Ｌｃ２＜Ｌｏｄ２の場合、すなわち、演算された冷凍機負荷率Ｌｃ２が冷凍機負荷率下限値Ｌｏｄ２よりも低い場合には、冷凍機１−２は自動的に停止する（Ｓ２３）。
【００４８】
冷凍機１−２が停止したら、起動後経過時間Ｔｗｉ２及び状態変化経過時間Ｔｓｗをクリアしてゼロにし（Ｓ２４、Ｓ２５）、Ｓ５へ移行する。停止条件を満たさない場合は、その旨のメッセージを冷凍機運転状態表示部２３ｃへ画面表示する。
【００４９】
同様にして機番ｎ−１の冷凍機１−（ｎ−１）において、Ｔｗｉ（ｎ−１）≦Ｔｏｗｉ（ｎ−１）の場合、Ｔｓｗ≦Ｔｏｓｗの場合、Ｌｃ（ｎ−１）≧Ｌｏｄ（ｎ−１）の場合のうち何れかの場合には、機番ｎの冷凍機１−ｎにつき、若い機番の冷凍機と同様にして、以下の処理を行う。
【００５０】
すなわち、機番ｎの冷凍機１−ｎについて、演算された起動後経過時間Ｔｗｉｎと起動後経過時間設定値Ｔｏｗｉｎ（例えば３０分）とを比較して（Ｓ２６）、Ｔｗｉｎ＞Ｔｏｗｉｎとなり、且つ演算された状態変化経過時間Ｔｓｗと状態変化経過時間設定値Ｔｏｓｗとを比較して（Ｓ２７）、Ｔｓｗ＞Ｔｏｓｗとなった場合、すなわち、演算された起動後経過時間Ｔｗｉｎが起動後経過時間設定値Ｔｏｗｎよりも大きく、且つ演算された状態変化経過時間Ｔｓｗが状態変化経過時間設定値Ｔｏｓｗよりも大きくなった場合には、[数１]、[数２]を基として冷凍機負荷率Ｌｃｎを演算し、この冷凍機負荷率Ｌｃｎを冷凍機負荷率下限値Ｌｏｄｎと比較し（Ｓ２８）、Ｌｃｎ＜Ｌｏｄｎの場合、すなわち、演算された冷凍機負荷率Ｌｃｎが冷凍機負荷率下限値Ｌｏｄｎよりも低い場合には、冷凍機１−ｎは自動的に停止する（Ｓ２９）。
【００５１】
冷凍機１−ｎが停止したら、起動後経過時間Ｔｗｉｎ及び状態変化経過時間Ｔｓｗをクリアしてゼロにし（Ｓ３０、Ｓ３１）、Ｓ５へ移行する。停止条件を満たさない場合は、その旨のメッセージを冷凍機運転状態表示部２３ｃへ画面表示する。
【００５２】
本図示例においては、冷凍機１−１，１−２，・・・１−ｎの停止は自動的に行なわせ、起動はオペレータの判断により行なう半自動運転である個別運転を行なうことができるため、契約電力を超過する危険性を確実に回避することができると共に、オペレータによる効率的且つ安定した運転が可能となり、オペレータの労力を削減することができ、しかも適切なタイミングで冷凍機１−１，１−２，・・・１−ｎを停止することができるため、消費エネルギを削減できて省エネルギに役立ち、又、適切な起動のタイミングを把握することができるため、快適な室内環境を維持することができる。
【００５３】
更に、本発明の空調用熱源システムにおいても、従来の空調用熱源システムにおいても、自動台数制御運転の場合には冷水負荷熱量を安全側で設定するため、冷凍機１−１，１−２，・・・１−ｎは停止しても良いのに停止しなかったり、起動しなくても良いのに起動してしまうという虞があったが、個別運転を行なうことによりこういった誤動作の虞が解消される。
【００５４】
又、自動台数制御運転の場合には、冷水負荷予測が困難であるため、外気の状況、来店者の予測（店舗ビルの場合）等を盛込んだ制御が必要であるが、経験豊かなオペレータの判断に委ねて運転を行なうことができるため、冷水負荷予測や外気の状況、来店者の予測等を盛込まなくても制御が可能となり、更に、自動台数制御運転のシステムは汎用であるため、現場の夫々のニーズに対応しきれないが、本図示例の個別運転の場合は、対応を容易且つ確実に行なうことができる。
【００５５】
図６は本発明の空調用熱源システムの実施の形態の他の例である。図中、図１に示すものと同一のものには同一の符号が付してある。而して、本図示例の特徴とするところは、還り管路１２−１，１２−２，・・・１２−ｎの中途部に流量検出器２４−１，２４−２，・・・２４−ｎが設けられている。
【００５６】
而して、この図示例においては、[数２]の冷凍機冷却熱量を求める際に、一次側冷水ポンプ設計能力[ｍ３／ｍｉｎ]を用いずに流量検出器２４−１，２４−２，・・・２４−ｎで求めた冷水流量ｑ１、ｑ２、・・・ｑｎ[ｍ３／ｍｉｎ]を用いるようにした点である。
【００５７】
本図示例においては、上記図示例と同様の作用効果を奏し得るうえ、流量検出器２４−１，２４−２，・・・２４−ｎを設けることにより、一次側冷水ポンプ４−１，４−２，・・・４−ｎが変流方式の場合でも冷水流量ｑ１、ｑ２、・・・ｑｎとして正確な値を得ることができ、精度の高い制御が可能となる。
【００５８】
なお、本発明の空調用熱源システムは、上述の図示例にのみ限定されるものではなく、本発明の要旨を逸脱しない範囲内において種々変更を加え得ることは勿論である。
【図面の簡単な説明】
【００５９】
【図１】本発明の空調用熱源システムの実施の形態の一例を示す系統図である。
【図２】図１の空調用熱源システムに適用する個別運転支援装置のブロック図である。
【図３】図２の個別運転支援装置で行なわれる制御のフローチャートである。
【図４】図２の個別運転支援装置で行なわれる制御のフローチャートである。
【図５】図２の個別運転支援装置で行なわれる制御のフローチャートである。
【図６】本発明の空調用熱源システムの実施の形態の他の例を示す系統図である。
【図７】従来の空調用熱源システムの一例を示す系統図で、自動台数制御運転を行なう場合の系統図である。
【図８】従来の空調用熱源システムの一例を示す系統図で、個別運転を行なう場合の系統図である。
【図９】図７の空調用熱源システムで自動台数制御運転を行なう際の冷水負荷熱量と冷凍機運転台数の関係を示すグラフである。
【符号の説明】
【００６０】
１−１        冷凍機
１−２        冷凍機
１−ｎ        冷凍機
５−１        往管路
５−２        往管路
５−ｎ        往管路
６            往主管路
１９            温度検出器
２４−１        流量検出器
２４−２        流量検出器
２４−ｎ        流量検出器
ｔｉｎ          冷凍機還水温度
ｔｏｕｔ１      冷凍機出口冷水温度
ｔｏｕｔ２      冷凍機出口冷水温度
ｔｏｕｔｎ      冷凍機出口冷水温度
ｔｓ            冷水送水温度
ｔｌｉｍ        冷水送水温度上限値
ｑ１            冷水流量
ｑ２            冷水流量
ｑｎ            冷水流量
Ｌｃｉ          冷凍機負荷率
Ｌｃ１          冷凍機負荷率
Ｌｃ２          冷凍機負荷率
Ｌｃｎ          冷凍機負荷率
Ｌｏｄ１        冷凍機負荷率下限値
Ｌｏｄ２        冷凍機負荷率下限値
Ｌｏｄｎ        冷凍機負荷率下限値
Ｔｏｗｉｉ      起動後経過時間設定値
Ｔｏｗｉ１      起動後経過時間設定値
Ｔｏｗｉ２      起動後経過時間設定値
Ｔｏｗｉｎ      起動後経過時間設定値
Ｔｗｉｉ        起動後経過時間
Ｔｗｉ１        起動後経過時間
Ｔｗｉ２        起動後経過時間
Ｔｗｉｎ        起動後経過時間
Ｔｏｓｗ        状態変化経過時間設定値
Ｔｓｗ          状態変化経過時間  
【図１】
2005337594.tif 000003
【図２】
2005337594.tif 000004
【図３】
2005337594.tif 000005
【図４】
2005337594.tif 000006
【図５】
2005337594.tif 000007
【図６】
2005337594.tif 000008
【図７】
2005337594.tif 000009
【図８】
2005337594.tif 000010
【図９】
2005337594.tif 000011